(57)【要約】  機内娯楽システムにおける隔壁モニタ用のインタフェースおよびそれを使用する方法である。より詳細には、機内娯楽システムにおいてタッピングユニットとその関連するモニタとを電気的に結合する１ワイヤインタフェース使用である。ワイヤは、タッピングユニットをモニタに結合するために、タッピングユニットの比較器の入力に結合する第１端と、モニタの比較器の入力に結合する第２端と、を有する。インタフェースは、ワイヤを、少なくともビデオモニタのオンまたはオフ状態を示すインジケータ等の負荷に結合する第２ワイヤをさらに有する。インタフェースのワイヤはまた、モニタのマイクロコントローラの送信状態および受信状態のうちの少なくとも一方を示す信号もまた搬送することができる。【選択図】  図１
2010508705.tif 000002
【特許請求の範囲】
【請求項１】
機内娯楽システムにおいてタッピングユニットをモニタに結合するインタフェースであって、
前記タッピングユニットを前記モニタに結合する、前記タッピングユニットの比較器の入力に結合する第１端と、前記モニタの比較器の入力に結合する第２端と、を有するワイヤ
を備える、インタフェース。
【請求項２】
前記ワイヤの第１端が、前記タッピングユニットの前記比較器の入力に直接結合し、前記ワイヤの第２端が、前記モニタの前記比較器の入力に直接結合する、請求項１に記載のインタフェース。
【請求項３】
前記ワイヤの第１端がさらに、前記タッピングユニットのトランジスタのコレクタに結合し、前記ワイヤの第２端がさらに、前記モニタのトランジスタのコレクタに結合する、請求項１に記載のインタフェース。
【請求項４】
前記ワイヤを負荷に結合する第２ワイヤ
をさらに備える、請求項１に記載のインタフェース。
【請求項５】
前記負荷が、前記タッピングユニットおよび前記モニタの外部である、請求項４に記載のインタフェース。
【請求項６】
前記第２ワイヤがさらに、前記負荷を介して前記ワイヤを電源に結合する、請求項４に記載のインタフェース。
【請求項７】
前記負荷がインジケータを含み、
前記ワイヤがさらに、少なくとも前記ビデオモニタのオンまたはオフ状態を示すように前記インジケータを制御する信号を搬送するように構成される、請求項４に記載のインタフェース。
【請求項８】
前記インジケータがランプを含む、請求項７に記載のインタフェース。
【請求項９】
前記ワイヤがさらに、前記モニタのマイクロコントローラの送信状態および受信状態のうちの少なくとも一方を示す信号を搬送するように構成される、請求項１に記載のインタフェース。
【請求項１０】
前記ワイヤのみが、前記タッピングユニットを前記モニタに電気的に接続し、それにより、信号が前記タッピングユニットと前記モニタとの間で前記ワイヤを介してのみ送信される、請求項１に記載のインタフェース。
【請求項１１】
機内娯楽システムにおいてタッピングユニットをモニタに結合する方法であって、
第１端および第２端を有するワイヤを備えるインタフェースを提供するステップと、
前記ワイヤの第１端を、前記タッピングユニットの比較器の入力に結合するステップと、
前記ワイヤの第２端を、前記モニタの比較器の入力に結合することにより、前記タッピングユニットを前記モニタに結合するステップと、
を含む方法。
【請求項１２】
前記ワイヤの第１端を結合するステップが、前記第１端を前記タッピングユニットの前記比較器の入力に直接結合するステップを含み、
前記ワイヤの第２端を結合するステップが、前記第２端を前記モニタの前記比較器の入力に直接結合するステップを含む、
請求項１１に記載の方法。
【請求項１３】
前記ワイヤの第１端を、前記タッピングユニットのトランジスタのコレクタにさらに結合するステップと、
前記ワイヤの第２端を、前記モニタのトランジスタのコレクタにさらに結合するステップと、
をさらに含む、請求項１１に記載の方法。
【請求項１４】
前記ワイヤに第２ワイヤの一端を結合し、前記第２ワイヤの他端を負荷に結合するステップ
をさらに含む、請求項１１に記載の方法。
【請求項１５】
前記負荷がインジケータを含み、
少なくとも前記ビデオモニタのオンまたはオフ状態を示すように前記インジケータを制御する信号を、前記ワイヤを介して提供するステップをさらに含む、請求項１４に記載の方法。
【請求項１６】
タッピングユニットと、
モニタと、
前記タッピングユニットを前記モニタに結合する、前記タッピングユニットの比較器の入力に結合する第１端と、前記モニタの比較器の入力に結合する第２端と、を有するワイヤを備えるインタフェースと、
を備える、機内娯楽システム。
【請求項１７】
前記ワイヤの第１端が、前記タッピングユニットの前記比較器の入力に直接結合し、前記ワイヤの第２端が、前記モニタの前記比較器の入力に直接結合する、請求項１６に記載の機内娯楽システム。
【請求項１８】
前記ワイヤの第１端が、前記タッピングユニットのトランジスタのコレクタにさらに結合し、前記ワイヤの第２端が、前記モニタのトランジスタのコレクタにさらに結合する、請求項１６に記載の機内娯楽システム。
【請求項１９】
前記インタフェースが、前記ワイヤをインジケータに結合する第２ワイヤをさらに備え、
前記ワイヤがさらに、少なくとも前記ビデオモニタのオンまたはオフ状態を示すように前記インジケータを制御する信号を搬送するように構成される、請求項１６に記載の機内娯楽システム。
【請求項２０】
前記ワイヤがさらに、前記モニタのマイクロコントローラの送信状態および受信状態のうちの少なくとも一方を示す信号を搬送するように構成される、請求項１６に記載の機内娯楽システム。
【発明の詳細な説明】
【技術分野】
【０００１】
関連特許出願の相互参照
本出願は、２００６年１０月３０日に出願された米国仮特許出願第６０／８５５，３２３号明細書の利益を主張し、その開示内容はすべて参照により本明細書に援用される。
【０００２】
発明の背景
発明の分野
本発明は、隔壁モニタ用インタフェースに関する。より詳細には、本発明は、機内娯楽システムにおいてタッピングユニットとその関連するモニタとの間で通信する１ワイヤインタフェースに関する。
【背景技術】
【０００３】
関連技術の説明
航空機に配備されるもの等の機内娯楽システムは、ビデオモニタとタッピングユニットとを備える場合がある。当業者が理解することができるように、タッピングユニットは、たとえば管理端末のような通信ユニットから信号を受け取り、それら信号をビデオモニタに提供する。機内娯楽システムにおいて特別な配線を避けるように効率的に、タッピングユニットをビデオモニタに結合することが望ましい。
【発明の概要】
【課題を解決するための手段】
【０００４】
本発明のいくつかの目的および利点は、添付図面を参照してその好ましい実施形態を詳細に説明することによってより明らかとなろう。
【図面の簡単な説明】
【０００５】
図面の簡単な説明
【図１】本発明の一実施形態による機内娯楽システムのタッピングユニットとビデオモニタとの間のインタフェースの一例を示す配線略図である。
【発明を実施するための形態】
【０００６】
好ましい実施形態の詳細な説明
図１は、本発明の一実施形態による機内娯楽システムにおけるタッピングユニット２００とビデオモニタ３００との間のインタフェース１００の一例を示す。図示するように、また、当業者には理解することができるように、この例におけるタッピングユニット２００は、タッピングユニット２００内の回路に信号を送信しかつそれらから信号を受信するマイクロコントローラ２０２を有している。たとえば、マイクロコントローラの送信ポート２０４はインバータ２０６の入力に結合されており、インバータ２０６の出力はオプトカプラ２０８に結合されている。この例では、インバータ２０６の出力は、オプトカプラ２０８の発光ダイオード２１０のカソードに結合されている。発光ダイオード２１０のアノードは抵抗器２１２に結合されており、抵抗器２１２はさらに、＋５ボルトＤＣ電源等のＤＣ電圧電源に結合されている。オプトカプラ２０８は、図示するようにトランジスタ２１４をさらに有している。トランジスタ２１４のコレクタは、トランジスタ２１６のベースに結合されており、トランジスタ２１４のエミッタは、電源２３２（後述する）の負端子に結合されており、電源２３２はまた比較器２１８にも結合されている。
【０００７】
マイクロコントローラ２０２の受信端子２２０は、オプトカプラ２２２及び抵抗器２２４に結合されている。抵抗器２２４はさらに、電源、たとえば＋５ボルトＤＣ電源に結合されている。図示するように、オプトカプラ２２２のトランジスタ２２６のコレクタは、マイクロコントローラ２０２の受信端子２２０に結合されており、トランジスタ２２６のエミッタは接地されている。オプトカプラ２２２の発光ダイオード２２８のアノードは抵抗器２３０に結合されており、カソードは比較器２１８の出力に結合されている。抵抗器２３０はさらに電源２３２に結合されており、この例では、電源２３２は＋２８ボルトＤＣ電源である。
【０００８】
電源２３２とコンデンサ２３６との間に抵抗器２３４が結合されており、コンデンサ２３６はさらに、ＤＣ電源２３２の負端子に結合されている（＋２８Ｖ電源に対する戻り＋２８Ｖ＿ＲＴＮとして識別されている）。抵抗器２３４はまた、ツェナーダイオード２３８のカソードにも結合されており、ツェナーダイオード２３８のアノードは、ＤＣ電源２３２の負端子に結合されている。さらに図示するように、電源２３２は、電力比較器２１８に結合されており、コンデンサ２３６およびツェナーダイオード２１８のカソードは、比較器２１８の入力に結合されている。
【０００９】
さらに図示するように、電源２３２の負端子とトランジスタ２１６のベースとの間に抵抗器２４０が結合されており、トランジスタ２１６のベースはさらに、抵抗器２４２に結合されている。したがって、抵抗器２４２は、トランジスタ２１６のベースと電源２３２の正端子との間に結合されている。トランジスタ２１６のコレクタは比較器２１８の入力に結合されており、トランジスタ２１６のエミッタは電源２３２の負端子に結合されている。
【００１０】
さらに、電源２３２の正端子と負端子との間に、コンデンサ２４４が結合されている。ダイオード２４６のカソードは、電源２３２の正端子に結合されており、ダイオード２４４のアノードは抵抗器２４８に結合されている。抵抗器２４８の他端は、電源２３２の負端子に結合されている。
【００１１】
さらに図示するように、かつ後により詳細に説明するように、インタフェース１００のワイヤは、比較器２１８の入力端子と抵抗器２１６のコレクタとに結合されている。
【００１２】
ここでビデオモニタ３００の詳細を参照すると、ビデオモニタ３００はマイクロコントローラ３０２を有している。マイクロコントローラ３０２の送信端子３０４は、インバータ３０６の入力に結合されている。インバータ３０６の出力は、オプトカプラ３０８に結合されている。特に、インバータ３０６の出力はオプトカプラ３０８の発光ダイオード３１０のカソードに結合されており、発光ダイオード３１０のアノードは抵抗器３１２に結合されている。抵抗器３１２はさらに電源に結合されており、電源はこの例では＋５ボルトＤＣ電源である。オプトカプラ３０８はさらにトランジスタ３１４を有しており、そのコレクタはトランジスタ３１６のベースに結合されており、トランジスタ３１４のエミッタは、比較器３１８と電源３３２（後述する）の負端子とに結合されている。
【００１３】
さらに図示するように、マイクロコントローラ３０２の受信端子３２０はオプトカプラ３２２に結合されている。特に、受信端子３２０は抵抗器３２４に結合されており、それはさらに電源に結合されており、電源は、この例では＋５ボルトＤＣ電源である。受信端子３２０はまた、オプトカプラ３２２のトランジスタ３２６のコレクタにも結合されており、トランジスタ３２６のエミッタは接地されている。オプトカプラ３２２の発光ダイオード３２８のカソードは比較器３１８の出力に結合されており、発光３２８のアノードは抵抗器３３０に結合されている。抵抗器３３０はさらに電源３３２に結合されており、電源３３２は、この例では２８ボルトＤＣ電源であり、上述した電源２３２と同じ電源であってもよい。しかしながら、この説明の目的で、ビデオモニタ３００に関連する電源を電源３３２と呼ぶことにする。
【００１４】
比較器３１８の入力端子と電源３３２との間に、抵抗器３３４が結合されている。比較器３１８の別の入力端子と電源３３２の負端子との間に、コンデンサ３３６が結合されている。さらに、比較器３１８のその入力端子には、ツェナーダイオード３３８のカソードが結合されており、ツェナーダイオード３３８のカソードは電源３３２の負端子に結合されている。電源３３２の正端子とツェナーダイオード３３８のカソードとの間に、抵抗器３４０が結合されている。さらに、電源３３２の正端子とトランジスタ３１６のベースとの間に、抵抗器３４２が結合されている。トランジスタ３１６のベースと電源３３２の負端子との間に、抵抗器３４４が結合されている。トランジスタ３１６のエミッタもまた、電源３３２の負端子に結合されている。さらに、電源３３２の正端子と負端子との間に、コンデンサ３４６が結合されている。
【００１５】
さらに、トランジスタ３１６のコレクタは、比較器３４８の入力に結合されている。比較器３４８はさらに、電源３３２の正端子と負端子との間に結合されており、比較器３４８の入力は、図示するように比較器３１８の入力に結合されている。比較器３４８の出力はオプトカプラ３５０に結合されている。特に、比較器３４８の出力は、オプトカプラ３５０の発光ダイオード３５２のカソードに結合されており、発光ダイオード３５２のアノードは抵抗器３５４に結合されており、抵抗器３５４はさらに、電源３３２の正端子に結合されている。オプトカプラ３５０のトランジスタ３５６のコレクタは、電源３３２の正端子に結合されており、エミッタは、トランジスタ３１６のコレクタに並列に結合されている抵抗器３６０および３６２に結合されている。電源３３２の正端子と負端子との間にはまた、コンデンサ３５８も結合されている。
【００１６】
さらに、インタフェース１００のワイヤがトランジスタ３１６のコレクタに結合されており、したがって、比較器３４８の入力にも結合されている。
【００１７】
インタフェース１００はさらに、電源２３２または３３２の負端子に結合された、インジケータランプのような負荷に結合されていることに留意されたい。インタフェース１００は、この実施形態では、タッピングユニット２００およびビデオモニタ３００が配備された航空機の機内娯楽システムの配線を使用する。インタフェース１００は、この例では、マスタ・スレーブプロトコルに準拠するＲＳ−２３２インタフェースであることに留意されたい。すなわち、ビデオモニタ３００はスレーブ装置であり、通信を開始しない。むしろ、ビデオモニタ３００は、マスタ装置として機能するタッピングユニット２００からのメッセージに応答して送信する。ビデオモニタ３００の「ＯＮ」インジケータは、ビデオモニタ３００がタッピングユニット２００あるいはランプまたはリレー等の別の外部装置とインタフェースするときに機能する。
【００１８】
インタフェース１００は、既存の個別ラインを、機内娯楽システムにおいてタッピングユニット２００とその関連するビデオモニタ３００との間で通信するために、半二重ＲＳ２３２信号に変換する。一実施形態では、インタフェース１００で使用される個別ラインは、タッピングユニット２００とビデオモニタ３００との間の標準ケーブルにおける従来のオンインジケータ（ON INDICATOR）ワイヤである。
【００１９】
初期状態の間、インタフェース１００上の１ワイヤ信号のロジックはロジック「ロー」（すなわちゼロ電圧）である。初期化後、マイクロコントローラ２０２および３０２は、オプトカプラ２０８および３０８をそれぞれＯＮ状態にし、それによりトランジスタ２２６および３１４のコレクタにおける電圧はローになり、発光ダイオード２２２および３１０のカソードにおける電圧はローになり、それによってトランジスタ２１６および３１６はオフとなる。したがって、比較器３４８の出力はローになり、オプトカプラ３５０がＯＮとなる。したがって、インタフェース１００上の１ワイヤ信号は＋２８ＶＤＣでハイとなる。その時、ビデオモニタ３００のマイクロコントローラ３０２は受信モードである。
【００２０】
送信状態の間、マイクロコントローラ３００は、ＲＳ２３２信号を機内娯楽システムにおける他のライン交換ユニット（line replaceable unit）（ＬＲＵ）にＲＳ２３２信号を送信する。以下の表１は、タッピングユニット２００、ビデオモニタ３００およびインタフェース１００のさまざまなポイントの回路に対するローおよびハイ状態、したがって、マイクロコントローラ３０２の送信モードに対するハイおよびロー（オンおよびオフ）状態を示す。
【００２１】
【表１】
2010508705.tif 000003
【００２２】
受信状態の間、マイクロコントローラ３００は、他のＬＲＵからＲＳ２３２信号を受信する。以下の表２は、タッピングユニット２００、ビデオモニタ３００およびインタフェース１００のさまざまなポイントの回路に対するローおよびハイ状態、したがって、マイクロコントローラ３０２の受信モードに対するハイおよびロー（オンおよびオフ）状態を示す。
【００２３】
【表２】
2010508705.tif 000004
【００２４】
１ワイヤ信号はまた、機内娯楽システムにおいて従来のオンインジケータ機能としての役割も果たし、リレーやランプのような外部装置を駆動するために、ロジックハイレベル（＞１８Ｖ）で５０ｍＡまでの電流を調達することができる。
【００２５】
本発明のわずかな数の例示的な実施形態のみを上に詳述したが、当業者は、本発明の新規な教示および利点から実質的に逸脱することなく、例示的な実施形態において多くの変更が可能であることを容易に理解するであろう。たとえば、プロセスに示すステップの順序および機能を、本発明の趣旨から逸脱することなくいくつかの点で変更してもよい。したがって、かかる変更はすべて、本発明の範囲内に含まれるように意図されている。
【図１】
2010508705.tif 000005
【国際調査報告】
2010508705.tif 000006